(57)【要約】【課題】  コンクリートと鋳鉄蓋本体との一体化作用を向上させたコンクリート複合鋳鉄蓋の提供。【解決手段】  外周部１１と底部１２を有する鋳鉄製容器状の蓋本体４の中にコンクリートを充填してなり地下構造物の開口部に設けられるコンクリート複合鋳鉄蓋２において、底部１２の上面には上向きにコンクリートと一体化させるための多数の小突起２４を設けた。小突起は傾斜し適宜傾斜方向を異にして設けられている。外周部及び底部に連続して上向きに突出した補強リブ１３を設け、補強リブに鉄筋挿通孔１６を設け、鉄筋挿通孔に鉄筋５を挿通した配筋構造を有する。【選択図】  図５
2006152647.tif 000002
【特許請求の範囲】
【請求項１】
外周部と底部を有する鋳鉄製容器状の蓋本体の中にコンクリートを充填してなり地下構造物の開口部に設けられるコンクリート複合鋳鉄蓋において、前記底部の上面には上向きにコンクリートと一体化させるための多数の小突起を設けたことを特徴とするコンクリート複合鋳鉄蓋。
【請求項２】
請求項１記載のコンクリート複合鋳鉄蓋において、前記小突起は底部の上面付近よりも先端側の断面形状を大きくしてあることを特徴とするコンクリート複合鋳鉄蓋。
【請求項３】
請求項１記載のコンクリート複合鋳鉄蓋において、前記小突起は適宜傾斜し傾斜方向をことにして設けられていることを特徴とするコンクリート複合鋳鉄蓋。
【請求項４】
請求項１、請求項２、又は請求項３記載のコンクリート複合鋳鉄蓋において、前記外周部及び底部に連続して上向きに突出した補強リブを設け、前記補強リブに鉄筋挿通孔を設け、前記鉄筋挿通孔に鉄筋を挿通した配筋構造を有することを特徴とするコンクリート複合鋳鉄蓋。
【請求項５】
外周部と、底部と、前記外周部及び底部に連続して上向きに突出した補強リブとを有する鋳鉄製容器状の蓋本体の中にコンクリートを充填してなる地下構造物の開口部に設けられるコンクリート複合鋳鉄蓋において、前記補強リブに鉄筋挿通孔を設け、前記鉄筋挿通孔に鉄筋を挿通した配筋構造を有することを特徴とするコンクリート複合鋳鉄蓋。
【発明の詳細な説明】
【技術分野】
【０００１】
本発明は、地下構造物の地表部開口用の蓋、例えば、電線共同溝用蓋、情報ボックス用蓋、マンホール用蓋等の蓋に関し、より詳細にはコンクリートと鋳鉄とを複合することで強度を向上させた、コンクリート複合鋳鉄蓋に関する。
【背景技術】
【０００２】
従来のこの種の技術として、特許文献１に記載のコンクリート複合鋳鉄蓋がある。
【特許文献１】特開２０００−３８３９３０号
【発明の開示】
【発明が解決しようとする課題】
【０００３】
前記特許文献１に記載のものは、鋳鉄部とコンクリートとの一体化の点で十分ではない点がある。すなわち、上向きに突出したリブ状の仕切りで囲まれ充填されたコンクリート体は鋳鉄部の底部とは面接触状態で結合しているだけのため、蓋体が車両等の負荷がかかることで生じるたわみにより、コンクリート体と鋳鉄部の面接触部にズレが生じると、双方が事実上分離可能な状態となり、コンクリートと鋳鉄蓋との一体化作用が小さい。従って、複合化による強度の向上が必ずしも十分ではない。
本発明は、コンクリートと鋳鉄蓋本体との一体化作用を向上させたコンクリート複合鋳鉄蓋の提供を目的とするものである。
【課題を解決するための手段】
【０００４】
第１の発明のコンクリート複合鋳鉄蓋は、外周部と底部を有する鋳鉄製容器状の蓋本体の中にコンクリートを充填してなり地下構造物の開口部に設けられるコンクリート複合鋳鉄蓋において、前記底部の上面には上向きにコンクリートと一体化させるための多数の小突起を設けたことを特徴とする。
【０００５】
この構成では、鋳鉄製蓋本体の底部表面に多数の小突起を設けることで一体化作用が大きくなり、蓋に負荷がかかることによるコンクリートと鋳鉄製蓋本体とのズレが起こり難くなる。
【０００６】
前記小突起は底部の上面付近よりも先端側の断面形状を大きくしてある構成とするのがよい。この場合の小突起は、製造上単純で好ましい形としては断面形状が円形の先太体、つまり倒立円錐台形、鋲形などであるが、他の断面形状であっても差支えない。この構成では、コンクリートと鋳鉄製の蓋本体とのズレが起こり難く、コンクリートと鋳鉄製の蓋本体とのズレが万一部分的に起こった場合でもコンクリートと小突起とが係合状態であるため、つまりアンカーのような作用があり、コンクリート下面と蓋上面とが離れるような変位が阻止されるから、一体化作用が極めて大きい。
【０００７】
前記小突起は低部の上面に対して傾斜し適宜傾斜方向を異にして設けられている構成とするのがよい。この構成のものも、前記先端側断面形状を大きくした構成のものと同等のコンクリート部に対する一体化作用がある。
【０００８】
前記外周部及び底部に連続して上向きに突出した補強リブを設け、前記補強リブに鉄筋挿通孔を設け、前記鉄筋挿通孔に鉄筋を挿通した配筋構造を有する構成とするのがよい。この構成では、小突起の存在によりコンクリートと鋳鉄製の蓋本体との一体化作用が向上していると共に鉄筋を補強リブの鉄筋挿通孔に挿通してあることにより鉄筋と鋳鉄製の蓋本体とが確実に係合したものとコンクリートとが一体化しており、コンクリートと蓋との一体化作用がより一層向上している。
【０００９】
第２の発明のコンクリート複合鋳鉄蓋は、外周部と、底部と、前記外周部及び底部に連続して上向きに突出した補強リブとを有する鋳鉄製容器状体の中にコンクリートを充填してなり地下構造物の開口部に設けられるコンクリート複合鋳鉄蓋において、前記補強リブに鉄筋挿通孔を設け、前記鉄筋挿通孔に鉄筋を挿通した配筋構造を有することを特徴とする。
【００１０】
この構成では、配筋構造が鋳鉄製の蓋本体の補強リブに設けた鉄筋挿通孔に鉄筋を挿通する簡単な配筋構造であるにもかかわらず、鉄筋が確実に鋳鉄製の蓋本体と係合関係になり、鉄筋と一体化したコンクリートは確実に鋳鉄製の蓋本体と一体化する。
【発明の効果】
【００１１】
請求項１記載の発明は、鋳鉄製の蓋本体の底部表面に多数の小突起を設けることで一体化作用が大きくなり、蓋に負荷がかかることによるコンクリートと鋳鉄製の蓋本体とのズレが起こり難くなるから、コンクリート複合鋳鉄蓋の強度が確実に向上する効果を奏する。
請求項２、請求項３記載の発明は、先太、又は傾斜により小突起にアンカーのような作用を持たせた構成としたから、コンクリートと蓋との一体化作用がより一層向上してコンクリート複合鋳鉄蓋の強度がより向上する効果を奏する。
請求項４記載の発明は、小突起の存在によりコンクリートと鋳鉄製の蓋本体との一体化作用が向上していると共に鉄筋を補強リブの鉄筋挿通孔に挿通してあることにより鉄筋と鋳鉄製の蓋本体とが確実に係合したものとコンクリートとが一体化しており、コンクリートと蓋との一体化作用がより一層向上しており、コンクリート複合鋳鉄蓋の強度が確実に大きく向上する効果を奏する。
請求項５記載の発明は、簡単な配筋構造であるにもかかわらず、鉄筋が確実に鋳鉄製の蓋本体と係合関係になり、鉄筋と一体化したコンクリートは確実に鋳鉄製の蓋本体と一体化して、コンクリート複合鋳鉄蓋の強度が確実に向上する効果を奏する。
【発明を実施するための最良の形態】
【００１２】
電線共同溝用蓋、情報ボックス用蓋、マンホール用蓋等の蓋において、比較的小さいものでは鋳鉄蓋の底の面に多数の先太の小突起、或いは傾斜した小突起を設けた構成、また比較的大きいものでは小突起を設けると共に蓋の補強リブに設けた鉄筋挿通孔に鉄筋を挿通した構成とする。
【実施例１】
【００１３】
図１、図２、図３に実施例１を示す。このコンクリート複合鋳鉄蓋１は、鋳鉄製箱状の蓋本体４、棒状の鉄筋５、蓋本体４内に充填されるコンクリート（図示省略）、通常充填したコンクリート上面に設けられる化粧タイル７等で構成されている。
【００１４】
蓋本体４は、外周部１１、底部１２、補強リブ１３、小突起１４等を具備している。外周部１１は平面形状が、図１に見られるように、長方形の枠状をなし、図２、図３（ｂ）に見られるように、所定の蓋厚さに相当する高さ寸法に形成され、前記長方形の対向する所定の２辺に蓋が閉じられたときに支持される被支持部１５を外方へ突出するように蓋高さの中間位置に形成されている。底部１２は外周部１１の下端に連続して平板状に形成されている。補強リブ１３は図に見られるように、箱状の蓋本体４内を９個の４角形に区画するように格子状の配置で、外周部１１と底部１２に連続し、蓋本体４高さの約半分の高さに達するように設けてあり、補強リブ１３には後述する鉄筋５を設けるための鉄筋挿通孔１６を穿設してある。また補強リブ１３で区画された部分の底部１２には各区画の中央部に区画と略相似形の窓状の貫通孔２０を穿設されている。小突起１４は底部１２の上面に略均等に分散して上向きに突設されており、僅かに先細（型の抜き勾配程度）の小短円柱形状をなしており、上端位置が前記鉄筋挿通孔１６の位置よりも下方にある。
【００１５】
鉄筋５は、直線棒状のもので、被支持部１５を設けてある蓋本体４の辺に直角な方向で、底部１２に平行して配置され、その配筋位置は前記鉄筋挿通孔１６の位置で決まり、この例では６本の鉄筋５が略等間隔で平行に、前記小突起１４の上端位置よりも少し高い位置に配置されている。鉄筋５を補強リブ１３に挿通した所定の配筋位置に組み込むために、外周部１１に鉄筋挿通孔１６位置に対応して通過孔１８を穿設してある。つまり、鉄筋５を蓋本体４内に設置するときに通過孔１８から挿入する。蓋本体４内にコンクリートを充填する際には通過孔１８は適宜閉じられる。
【００１６】
コンクリートは、鉄筋５を設置して、蓋本体４を平板上に置いた状態でその平板上面から補強リブ上端位置までの外周部１１内側の空間１９に充填して固化させてある。化粧タイル７は、設置したコンクリートの上及び被支持部１５の内側上に設置してあり、図２、図３（ｂ）に見られるように上面の高さが外周部１１の上端と一致している。
【００１７】
図１は前記コンクリート複合鋳鉄蓋１を２枚と、これよりも小さい２枚の化粧鋳鉄蓋２１とを用いて長方形の大きい開口を閉じた状態を示している。化粧鋳鉄蓋２１は上面に化粧タイル７を設けるがコンクリートを複合させたものではない。この化粧鋳鉄蓋２１は厚みを薄くする必要があり、蓋の全厚みを薄くすることによる強度低下を補うために、図１及び図３（ａ）に見られるような補強リブ２６の形状によって断面２次モーメント及び断面係数を向上させてある。
【００１８】
図における２２は地面下空間の地表部の開口を形成する受枠であり、開口縁内側に蓋支持部１５を有し、コンクリート複合鋳鉄蓋１及び化粧鋳鉄蓋２１が閉じられた時に蓋の被支持部１５を蓋支持部１７で支持する。その閉蓋状態で施錠できるように施錠装置２３が蓋１、２１の各々に２個ずつ設けてある。この施錠装置２３は、図３（ａ）、（ｂ）に見られるように、蓋支持部１７の下面と係合して施錠状態となる。受枠２２は、地表部、例えば舗装路面に上端を一致させて設置され、その内側の縁部が蓋で閉じられる地表開口を形成する。
【００１９】
このコンクリート複合鋳鉄蓋１は、底部１２に小突起１４を設けたことによって蓋に負荷がかかることによるコンクリートと蓋本体４とのズレが起こりにくくなり、一体化の効果が大きくなっている。また、コンクリートが、補強リブ１３の鉄筋挿通孔１６に挿通された鉄筋５を有する鉄筋コンクリートであり、簡単な配筋構造で効果的に蓋本体４と強力に一体化している。この一体化状態は、万一コンクリートと蓋本体４との間でズレが起こったとしても、つまり接着状態であったものが当接状態になったとしても、当接面間で大きく変位が生じるようなことはない。また、この配筋構造は補強リブ１３により分断されたコンクリートブロックを強度の大きい連続梁の形態に近づけているものである。
【実施例２】
【００２０】
図４、図５、図６に実施例２を示す。このコンクリート複合鋳鉄蓋２は、実施例１におけるコンクリート複合鋳鉄蓋１と比べて主に小突起の形状が異なり、他の部分はほぼ同じであるから、同等部分を同一図面符号で示して説明を省略する。小突起２４は、水平断面が円形であり、図５（ａ）、（ｂ）に見られるように、斜め上方に向って突出しており、上方にいくに従って細く形成され鉄筋５に達する高さ位置付近で水平な上端面とされて終端している。この小突起２４も実施例１のように多数が適当に分散配置されている。そして、斜め上方に向う傾斜の方向は、コンクリートとの傾斜による係合関係が全体として均等化するように個々の小突起２４で適宜異ならせてある。
【実施例３】
【００２１】
図７、図８、図９に実施例３を示す。このコンクリート複合鋳鉄蓋３は、実施例１におけるコンクリート複合鋳鉄蓋１と比べて主に小突起の形状が異なり、他の部分はほぼ同じであるから、同等部分を同一図面符号で示して説明を省略する。小突起２５は、水平断面が円形であり、図８（ａ）、（ｂ）、図９に見られるように、上方に向って突出しており、上方にいくに従って太く形成され鉄筋５に達する高さ位置付近で水平な上端面とされて終端している。つまり小突起２５は倒立円錐台形である。この小突起２５も実施例１のように多数が適当に分散配置されている。そして、倒立円錐台形状は、コンクリートとの係合関係が個々の小突起２５単独でも確実に備わっている。
【００２２】
実施例２、３のコンクリート複合鋳鉄蓋２、３は、底部１２に小突起２４、２５を設けたことによって蓋に負荷がかかることによるコンクリートと蓋本体４とのズレが起こりにくくなり、負荷が大きくなることで蓋の底部にたわみが生じても、コンクリートと蓋の底部はより強力に一体化が保たれ、一体化の効果が大きくなっている。また、鉄筋５を組み合わせた構成は実施例１におけると同様に一体化効果が更に向上している。そして、この小突起２４、２５を備えた構成は、鉄筋５を設けないものとした場合に、仮にコンクリートと蓋本体４が当初の接着した状態から当接した状態に変化したとしても、小突起２４、２５とコンクリートが係合した状態であり、蓋本体４からコンクリートが外れるようなことはない。従って比較的小型のコンクリート複合鋳鉄蓋とする場合には鉄筋を省略すこともあり得る。
【産業上の利用可能性】
【００２３】
電線共同溝用蓋、情報ボックス用蓋、マンホール用蓋等の蓋等に利用できる。
【図面の簡単な説明】
【００２４】
【図１】本発明の実施例１の蓋と他の蓋とにより、開口枠が形成する開口を閉じた閉蓋状態を示すコンクリート及び化粧タイルを省略した平面図である。
【図２】図１のＡ−Ａ断面図である。
【図３】（ａ）は図１のＢ−Ｂ断面拡大図、（ｂ）は図１のＣ−Ｃ断面拡大図である。
【図４】本発明の実施例２をコンクリート及び化粧タイルを省略して示す平面図である。
【図５】（ａ）は図４のＤ−Ｄ断面図、（ｂ）は（ａ）のＦ部拡大図である。
【図６】図４のＥ−Ｅ断面図である。
【図７】本発明の実施例３をコンクリート及び化粧タイルを省略して示す平面図である。
【図８】（ａ）は図７のＧ−Ｇ断面図、（ｂ）は（ａ）のＨ部拡大図である。
【図９】図７のＩ−Ｉ断面図である。
【符号の説明】
【００２５】
１、２、３      コンクリート複合鋳鉄蓋
４      蓋本体
５      鉄筋
７      化粧タイル
１１    外周部
１２    底部
１３    補強リブ
１４    小突起
１５    被支持部
１６    鉄筋挿通孔
１７    蓋支持部
１８    通過孔
１９    空間
２０    貫通孔
２１    化粧鋳鉄蓋
２２    受枠
２３    施錠装置
２４    小突起
２５    小突起
【図１】
2006152647.tif 000003
【図２】
2006152647.tif 000004
【図３】
2006152647.tif 000005
【図４】
2006152647.tif 000006
【図５】
2006152647.tif 000007
【図６】
2006152647.tif 000008
【図７】
2006152647.tif 000009
【図８】
2006152647.tif 000010
【図９】
2006152647.tif 000011